(57)【特許請求の範囲】
【請求項１】
空気清浄機の空気流路構成であって、
前記空気流路構成の空気入口にはターボファンが設けられ、空気出口には軸流ファンが設けられ、
前記空気流路構成において、前記ターボファンと前記軸流ファンとの間の内壁に乱流部が形成され、前記乱流部は、前記ターボファンにより吸入されてから前記空気流路構成の内壁に沿って前記軸流ファンに向かって吹いて前記軸流ファンを介して排出される気流を乱流することで、少なくとも一部の前記気流を前記軸流ファンに向かって吹いたときに前記空気流路構成の内壁から離間させ、
前記乱流部は、前記空気流路構成の内壁が内方に形成される突起を含み、
前記突起は、一体の中空のリング状に形成され、
前記突起はボス状に形成され、
前記ボスは前記ターボファンに向ける風上面を含み、前記風上面が円弧面に形成され、
前記乱流部の最低点と前記ターボファンとの間の間隔距離は、前記ターボファンと前記軸流ファンとの間の間隔距離の１／３〜２／３であり、
前記空気流路構成の内壁の最内側と内壁の最外側との間の間隔距離は、前記軸流ファンの直径長さの１／６〜１／２である、
空気清浄機の空気流路構成。
【請求項２】
前記乱流部は複数の突起を含み、複数の突起は、リング状に前記空気流路構成の内壁に間隔をおいて分布される
請求項１に記載の空気清浄機の空気流路構成。
【請求項３】
前記ボスが円弧面を有するボスである
請求項１に記載の空気清浄機の空気流路構成。
【請求項４】
前記ボスは、前記ターボファンに近接する第１のエッジと、前記ターボファンから離間した第２のエッジとを含み、前記第１のエッジおよび前記第２のエッジには、円弧面状の面取り部がそれぞれ形成される
請求項１に記載の空気清浄機の空気流路構成。
【請求項５】
空気清浄機の空気流路構成であって、
前記空気流路構成の空気入口にはターボファンが設けられ、空気出口には軸流ファンが設けられ、
前記空気流路構成において、前記ターボファンと前記軸流ファンとの間の内壁に乱流部が形成され、前記乱流部は、前記ターボファンにより吸入されてから前記空気流路構成の内壁に沿って前記軸流ファンに向かって吹いて前記軸流ファンを介して排出される気流を乱流することで、少なくとも一部の前記気流を前記軸流ファンに向かって吹いたときに前記空気流路構成の内壁から離間させ、
前記空気流路構成は、通常通路とインデント通路を含み、前記インデント通路の内径が前記通常通路の内径より小さく、
前記乱流部は、前記インデント通路が前記通常通路に近接されて形成された、前記ターボファンに向ける風上面を含み、前記風上面が円弧面に形成され、
前記乱流部の最低点と前記ターボファンとの間の間隔距離は、前記ターボファンと前記軸流ファンとの間の間隔距離の１／３〜２／３であり、
前記空気流路構成の内壁の最内側と内壁の最外側との間の間隔距離は、前記軸流ファンの直径長さの１／６〜１／２である
空気清浄機の空気流路構成。
【請求項６】
前記インデント通路が２つの通常通路の間に位置する
請求項５に記載の空気清浄機の空気流路構成。
【請求項７】
前記インデント通路の内壁は、内方に突起された円弧面に形成される
請求項６に記載の空気清浄機の空気流路構成。
【請求項８】
前記インデント通路は、中央部に位置する円筒体を含み、前記円筒体の両端は、外部拡張のフレア端部がそれぞれ形成されて両端の通常通路に接続し、
前記円筒体と各フレア端部との接続箇所のエッジには円弧面状の面取り部がそれぞれ形成され、
前記ターボファンに近接する円弧面状の面取り部は前記風上面を構成し、
前記乱流部は、前記ターボファンから離間する円弧面状の面取り部をさらに含む
請求項６に記載の空気清浄機の空気流路構成。
【請求項９】
前記インデント通路が前記通常通路の片側に位置し、前記インデント通路の端部が前記空気出口を形成する
請求項５に記載の空気清浄機の空気流路構成。
【請求項１０】
前記空気入口が前記空気流路構成の底部に位置し、前記空気出口が前記空気流路構成の頂部に位置し、
前記乱流部の高さが前記ターボファンの高さよりも高いことにより、前記ターボファンから前記軸流ファンへ吹く気流を前記空気流路構成の内壁に沿って少なくとも所定距離を流動させてから前記乱流部で乱流する
請求項１または５に記載の空気清浄機の空気流路構成。
【請求項１１】
空気清浄機であって、
請求項１〜１０のいずれか１項に記載の空気清浄機の空気流路構成を含む、前記空気清浄機。
【発明の詳細な説明】
【技術分野】
【０００１】
本出願は、出願番号２０１６１０９３９６５８.８、出願日２０１６年１０月２４日の中国特許出願に基づいて提出され、この中国特許出願の優先権を主張し、その全ての内容がここに参照として本明細書に組み込まれる。
【０００２】
本発明は空気清浄機の技術分野に関し、特に、空気清浄機及びその空気流路構成に関する。
【背景技術】
【０００３】
空気清浄機は、周囲環境の空気に対して清浄処理を行うことで、室内の空気品質を有効に改善することができる。空気清浄機は、清浄構成と空気流路構成を含む。清浄構成は、フィルタ素子によるフィルタリング、高圧静電気吸着及び生物分解等の方式により、空気中の粒子状物質、病原菌等を清浄する。空気流路構成は、空気の流を形成し、周囲環境の空気を清浄構成へ吸い込み、清浄された空気を出力する。
【０００４】
従来技術では、空気流路構成は、通常に円筒状に構成され、空気流路構成の空気入口にはターボファンが設けられ、空気出口には軸流ファンが設けられている。ここで、ターボファンは清浄された空気を周方向へ吹くことで、生成された気流が空気流路構成の内壁に沿って螺旋状に上昇し、次に、軸流ファンにより気流が軸方向へ加速される。
【０００５】
しかしながら、ターボファンにより発生された気流は、いずれも空気流路構成の内壁に沿って軸流ファンへ吹かれるため、軸流ファン羽根の周辺のみで気流を加速させることができ、軸流ファンを有効に利用しなく、空気清浄機の全体清浄効果に影響を及ぼす。
【発明の概要】
【発明が解決しようとする課題】
【０００６】
本発明の実施例は、空気清浄機及びその空気流路構成を提供して、従来技術の課題を解決しようとする。
【課題を解決するための手段】
【０００７】
本発明の実施例における第１の形態によれば、空気清浄機の空気流路構成を提供し、前記空気流路構成の空気入口にはターボファンが設けられ、空気出口には軸流ファンが設けられ、前記空気流路構成において、前記ターボファンと前記軸流ファンとの間の内壁に乱流部が形成され、前記乱流部は、前記ターボファンにより吸入されてから前記空気流路構成の内壁に沿って前記軸流ファンに向かって吹いて前記軸流ファンを介して排出される気流を乱流することで、少なくとも一部の前記気流を前記軸流ファンに向かって吹いたときに前記空気流路構成の内壁から離間させる。
【０００８】
任意的に、前記乱流部は、前記空気流路構成の内壁が内方に形成される突起を含む。
【０００９】
任意的に、前記突起は、一体の中空リング状に形成される。
【００１０】
任意的に、前記乱流部は複数の突起を含み、複数の突起は、リング状に前記空気流路構成の内壁に間隔をおいて分布される。
【００１１】
任意的に、前記突起は板状に形成される。
【００１２】
任意的に、前記突起はボス状に形成される。
【００１３】
任意的に、前記ボスは前記ターボファンに向ける風上面（ｗｉｎｄｗａｒｄ  ｓｕｒｆａｃｅ）を含み、前記風上面が円弧面に形成される。
【００１４】
任意的に、前記ボスが円弧面を有するボスである。
【００１５】
任意的に、前記ボスは、前記ターボファンに近接する第１のエッジと、前記ターボファンから離間した第２のエッジとを含み、前記第１のエッジおよび前記第２のエッジには、円弧面状の面取り部がそれぞれ形成される。
【００１６】
任意的に、前記空気流路構成は通常通路とインデント通路を含み、前記インデント通路の内径が前記通常通路の内径より小さく、ここで、前記乱流部は、前記インデント通路が前記通常通路に近接されて形成された前記ターボファンに向ける風上面を含み、前記風上面が円弧面に形成される。
【００１７】
任意的に、前記インデント通路が２つの通常通路の間に位置する。
【００１８】
任意的に、前記インデント通路の内壁は内方に突起された円弧面に形成される。
【００１９】
任意的に、前記インデント通路は、中央部に位置する円筒体を含み、前記円筒体の両端は、外部拡張のフレア端部（ｆｌａｒｅｄ  ｅｎｄ）がそれぞれ形成されて両端の通常通路に接続し、前記円筒体と各フレア端部との接続箇所のエッジには円弧面状の面取り部がそれぞれ形成され、前記ターボファンに近接する円弧面状の面取り部は前記風上面を構成し、前記乱流部は、前記ターボファンから離間する円弧面状の面取り部をさらに含む。
【００２０】
任意的に、前記インデント通路が前記通常通路の片側に位置し、前記インデント通路の端部は前記空気出口を形成する。
【００２１】
任意的に、前記空気入口が前記空気流路構成の底部に位置し、前記空気出口が前記空気流路構成の頂部に位置し、前記乱流部の高さが前記ターボファンの高さよりも高いことにより、前記ターボファンから前記軸流ファンへ吹く気流を前記空気流路構成の内壁に沿って少なくとも所定距離を流動させてから前記乱流部で乱流する。
【００２２】
任意的に、前記乱流部の最低点と前記ターボファンとの間の間隔距離は、前記ターボファンと前記軸流ファンとの間の間隔距離の１／３〜２／３である。
【００２３】
任意的に、前記空気流路構成の内壁の最内側と内壁の最外側との間の間隔距離は、前記軸流ファンの直径長さの１／６〜１／２である。
【００２４】
本発明の実施例における第２の形態によれば、空気清浄機を提供し、上記実施例のいずれか１つの空気清浄機の空気流路構成を含む。
【００２５】
本発明の実施例に係る技術案は、以下の効果を実現する
上記実施例からわかるように、本発明の実施例によれば、空気流路構成の内壁に乱流部が形成され、空気流路構成の内壁に沿って螺旋状に上昇する気流を乱流して、少なくとも一部の気流が空気流路構成の内壁から離間されるようにする。したがって、当該気流が軸流ファンを経由する時に軸流ファンの羽根の中央部にさらに近接でき、軸流ファンの軸方向への加速エネルギーを有効に利用し、同じ条件でより大きい風放出能力を実現し、浄化空気の被覆範囲を増大するだけでなく、空気対流を強化して、室内空気の清浄効率を向上することができる。
【００２６】
以上の一般的な説明と下記の詳細な説明は、例示的および説明的なものに過ぎず、本開示を制限するものではないことを理解すべきである。
【図面の簡単な説明】
【００２７】
【図１】従来技術における空気清浄機の空気流路構成の模式図である。
【図２】本発明の例示的な実施例における空気清浄機の空気流路構成の模式図である。
【図３】本発明の例示的な実施例における空気清浄機の空気流路構成の規格の模式図である。
【図４】本発明の例示的な実施例における空気清浄機の空気流路構成の上面図である。
【図５】本発明の例示的な実施例における空気清浄機のその他の空気流路構成の上面図である。
【図６】本発明の例示的な実施例一における空気清浄機の空気流路構成の模式図である。
【図７】図６に示す空気流路構成の気流乱流の模式図である。
【図８】本発明の例示的な実施例一におけるその他の空気清浄機の空気流路構成の模式図である。
【図９】図８に示す空気流路構成の気流乱流の模式図である。
【図１０】是本発明の例示的な実施例一における空気清浄機のその他の空気流路構成の模式図である。
【図１１】図１０に示す空気流路構成の気流乱流の模式図である。
【図１２】本発明の例示的な実施例二における空気清浄機の空気流路構成の模式図である。
【図１３】図１２に示す空気流路構成の気流乱流の模式図である。
【図１４】本発明の例示的な実施例二における空気清浄機のその他の空気流路構成の模式図である。
【図１５】図１４に示す空気流路構成の気流乱流の模式図である。
【図１６】本発明の例示的な実施例二における空気清浄機のその他の空気流路構成の模式図である。
【発明を実施するための形態】
【００２８】
添付の図面は、本明細書に組み込まれ、本明細書の一部を構成し、本発明と一致する実施例を示し、明細書と共に本発明の原理を説明する役割を果たす。
【００２９】
ここで例示的実施例について詳細な説明を行い、その例示は図面に示す。以下の記述は図面に関したときに、別に示されないと、異なる図面中の同じ数字は同じ又は類似した要素を示す。以下の例示的実施例に記述された実施の形態は本発明と一致する全ての実施の形態を代表しない。逆に、それらは特許請求の範囲に詳細に記述され、本発明のある方面と一致する空気清浄機の空気流路構成及び方法の例に過ぎない。
【００３０】
図１は従来技術における空気清浄機の空気流路構成の模式図である。図１に示すように、当該図において、空気流路構成１’を容易に参照して説明するために、空気清浄機の清浄構成を省略する。空気流路構成１’は、円筒状に形成され、図１に示す空気清浄機に配置される。空気流路構成１’の底部が空気入口であり、ターボファン２’が設けられ、頂部が空気出口であり、軸流ファン３’が設けられている。動作状態において、ターボファン２’は気流を空気流路構成１’の内壁に向かって吹くので、気流が空気流路構成１’の内壁に沿って螺旋状に上昇し、軸流ファン３’へ吹かれる。
【００３１】
しかしながら、気流が基本的に空気流路構成１’の内壁に沿って上昇するため、軸流ファン３’の回転過程において、軸流ファン３’の羽根３１’の周辺（即ち端部）だけでターボファン２’からの気流を加速させることができる。羽根３１’の中央部又は内部の気流への加速が限られて、軸流ファン３’の回転を有効に利用しなく、空気清浄機の全体清浄効果に影響を及ぼす。
【００３２】
そして、本発明の実施例は、空気清浄機の空気流路構成１’を改良することで、従来技術における上記課題を解決しようとする。以下、実施例を参照して説明する。
【００３３】
図２は本発明の例示的な実施例における空気清浄機の空気流路構成の模式図である。図２に示すように、本発明の実施例における空気流路構成１において、空気流路構成１の空気入口１１にはターボファン２が設けられ、空気出口１２には軸流ファン３が設けられている。当該ターボファン２によって生成した気流は、当該空気流路構成１の内壁に沿って当該軸流ファン３へ吹かれ、当該軸流ファン３により当該空気流路構成１から導出される。ここで、当該空気流路構成１において、当該ターボファン２と当該軸流ファン３との間の内壁上に乱流部１０が形成され、当該乱流部１０は、当該空気流路構成１の内壁に沿って当該軸流ファン３へ吹く気流を乱流することで、少なくとも一部の気流を当該軸流ファン３に向かって吹いたときに当該空気流路構成１の内壁から離間させる。
【００３４】
本実施例において、空気流路構成１の内壁には乱流部１０が形成され、当該乱流部１０は、空気流路構成１の内壁に沿って螺旋状に上昇される気流を乱流することで、少なくとも一部の気流を空気流路構成１の内壁から離間させる。したがって、当該一部の気流が軸流ファン３を経由する時に軸流ファン３の羽根３１の中央部に更に近接し、当該羽根３１の中央部によって加速される。他の気流が空気流路構成１の内壁に沿って上昇し、羽根３１の端部によって加速される。そして、軸流ファン３の軸方向の加速エネルギーを有効に利用し、ファン規格、空気流路サイズ、フィルタ素子タイプ等の条件が同じである場合、より大きい風放出能力を実現し、浄化空気の被覆範囲を増大するだけでなく、空気対流を強化して、室内の空気清浄効率を向上し、空気清浄機のエネルギー消費を節約することができる。
【００３５】
本実施例において、空気入口１１が当該空気流路構成１の底部に位置し、空気出口１２が当該空気流路構成１の頂部に位置し、乱流部１０の高度がターボファン２よりも高い。そして、当該ターボファン２から軸流ファン３へ吹く気流が空気流路構成１の内壁に沿って所定距離を流動してその流速が所定速度に達した後、当該乱流部１０により乱流されることで、乱流部１０により気流の流速を低減して空気清浄機の風放出量を減少することを回避する。例えば、図３に示すように、ターボファン２と軸流ファン３の間の間隔距離がＤであり、乱流部１０の最低点とターボファン２との間の間隔距離がｄであり、且つ１／３Ｄ≦ｄ≦２／３Ｄであり、例えばｄ＝１／２Ｄであるが、本発明の実施例はこれらに限定されない。
【００３６】
本発明の実施例に係る技術案において、乱流部１０は複数の実現形態を含み、以下、例を挙げて当該乱流部１０の実施構成を説明する。
【００３７】
本発明の例示的な実施例一によれば、乱流部１０は、空気流路構成１の内壁が内方に形成される突起を含む。ターボファン２によって気流が生成された後、気流が空気流路構成１の内壁を沿って螺旋に上昇する過程において、当該突起が流動経路において気流をある程度にブロッキングして、気流の流動方向を乱流し、当該気流への乱流作用を実現し、当該気流が空気流路構成１の内壁から離間することを促すことができる。
【００３８】
１つの形態として、図４に示すように、乱流部１０が突起を含む場合、当該突起が一体の中空リング状構成１０１に形成され、図４において、下瞰した（空気出口の軸流ファン３を除く場合）当該中空リング状構成１０１の構成が見える。
【００３９】
また、乱流部１０は複数の突起を含んでも良い。例えば、図５に示す構成において、乱流部１０は、突起１０１Ａ、突起１０１Ｂ、突起１０１Ｃ及び突起１０１Ｄ等を含む。これらの突起は、リング状に空気流路構成１の内壁に間隔で分布される。この場合、突起が設けられるエリアにおいて気流を乱流し、突起が設けられないエリアにおいて気流が通常に流動され、気流の乱流と気流の正常流動を両立することができる。ここで、複数の突起は、同一の高度で空気流路構成１の内壁に均等に分布され、ターボファン２によって生成された気流を均等に乱流することで、最終に、清浄された空気を空気清浄機から室内の各方向へ均等に出力し、清浄の「死角」又は「ウィークポイント」の発生を回避することができる。
【００４０】
ここで、図５の乱流部１０は突起１０１Ａ、突起１０１Ｂ、突起１０１Ｃ及び突起１０１Ｄという４つの突起を含み、これらが例示的なものに過ぎない。実際には、本発明の実施例は、空気流路構成１のサイズ、ターボファン２の規則、軸流ファン３規則等の条件に応じて、乱流部１０の突起の数、各突起の規則及び各突起の間の並び方を適当に調整することができるが、これらに限定されない。
【００４１】
上記中空リング状構成１０１又は複数の突起が含まれる乱流部１０について、当該乱流部１０には含まれる突起は、以下のように構成される。
【００４２】
例示的な構成として、突起は板状に形成される場合、乱流部１０は図６に示す仕切板１０２を含む。ここで、図４に示すような中空リング状構成１０１に対応する場合、当該仕切板１０２が1つの中空のリング状の仕切板であってもよい。図５に示すような複数の突起に対応する場合、当該乱流部１０は間隔で配置された複数の仕切板１０２を含む。なお、仕切板１０２は、気流を乱流して一部の気流を空気流路構成１の内壁から離間させて軸流ファン３の羽根３１の中央部へ吹く。しかし、仕切板１０２の1つの平面がターボファン２に向けて気流に直接的なブロッキング効果を有するため、気流の流速にある程度の影響を与える可能性があり、例えば、気流の流速をある程度に減少させる。
【００４３】
その他の例示的な構成として、図７に示すように、突起がボス状に形成される。このように、図７に示すボス１００を例として、当該ボス１００は、ターボファン２に向ける風上面１００Ａ（図７において太い実線で風上面１００Ａを示し、風上面１００Ａでない部分が当該風上面１００Ａよりも突出され、図９、図１１、図１３及び図１５も同様である）を含む。ここで、風上面１００Ａは、円弧面に形成されて、気流を当該風上面１００Ａに向かって吹いたときにコアンダ効果（Ｃｏａｎｄａ  ｅｆｆｅｃｔ）を実現する。この場合、気流が接線方向に沿って流動しなく、風上面１００Ａの表面に沿って少なくとも一定の距離を流動し、一部の気流からなる気流１と接線方向は角度αを形成する。当該気流１を軸流ファン３の羽根３１の中央部に導き、他の気流からなる気流２が空気流路構成１の内壁に沿って継続に流動し、軸流ファン３の羽根３１の周辺の端部へ導く。つまり、ターボファン２によって生成された気流が軸流ファン３の羽根３１の各部位に分散され、当該羽根３１の回転によって生成された加速エネルギーを十分に使用し、同じ条件でより強い風放出能力と空気清浄効率を実現することができる。同時に、風上面１００Ａが円弧面に形成される場合、図６に示すような仕切板１０２と比較し、当該円弧面の気流へのブロッキング作用が仕切板１０２の平面の気流へのブロッキング作用よりも小さいため、ボス１００の風上面１００Ａの気流への流速影響が仕切板１０２の気流への流速影響よりも小さい。そして、ターボファン２の気流への加速作用を有効に利用し、空気清浄機は同じ条件でより大きい風放出能力を生成し、空気清浄効率を更に向上することができる。
【００４４】
ここで、ボス１００は多種の構成を含む。１つの実施例において、ボス１００は、図８に示すような円弧面のボス１０３に形成されても良い。それに対応し、図９に示すような気流乱流の模式図において、円弧面のボス１０３がターボファン２に向ける風上面１０３Ａを含み、当該風上面１０３Ａが気流を気流１と気流２に導き、軸流ファン３の羽根３１における異なる箇所に対応し、羽根３１によって生成された加速エネルギーを有効に利用する。他実施例において、ボス１００は図１０に示すようなボス１０４に形成されても良い。それに対応し、図１１に示すような気流乱流の模式図を参照する。当該ボス１０４は、ターボファン２に近接する第１のエッジ１０４Ａと当該ターボファン２から離間する第２のエッジ１０４Ｂを含み、当該第１のエッジ１０４Ａと当該第２のエッジ１０４Ｂにおいて、いずれも円弧面状の面取り部に形成される。そして、円弧面状の面取り部に形成されている第１のエッジ１０４Ａは、当該ボス１０４の風上面を構成し、気流を気流１と気流２に導き、さらに、円弧面状の面取り部に形成されている第２のエッジ１０４Ｂは、コアンダ効果を同様に実現すし、気流２を当該第２のエッジ１０４Ｂによって気流２１と気流２２に導く。それによって、第１のエッジ１０４Ａと第２のエッジ１０４Ｂの複数の導きによって、気流を羽根３１の各部位に均等に対応し、より大きい風放出能力、より高い清浄効率及び良い清浄效果を実現することができる。
【００４５】
本発明の例示的な実施例二において、空気流路構成１は通常通路とインデント通路を含み、当該インデント通路の内径が当該通常通路よりも小さい。ここで、乱流部１０は、インデント通路が通常通路に近接されて形成された、ターボファン２に向ける風上面を含み、当該風上面が円弧面に形成されて、コアンダ効果で気流への適当な導きを実現する。
【００４６】
１つの実施例において、インデント通路が２つの通常通路の間に位置する。図１２に示すように、空気流路構成１は第１の通常通路１１、第２の通常通路１２及びインデント通路１３を含み、インデント通路１３が第１の通常通路１１と第２の通常通路１２との間に位置する。そして、第１の通常通路１１が軸流ファン３に近接し、第２の通常通路１２がターボファン２に近接する。乱流部１０は、インデント通路１３が第２の通常通路１２の近接箇所に形成された風上面を含む。図１３に示すように、乱流部１０は、気流に対してコアンダ効果を生成し、気流を気流１と気流２に導き、羽根３１の各部分にそれぞれ対応する。
【００４７】
ここで、図１２〜１３に示すような実施例において、インデント通路１３の内壁は、内方へ突起された円弧面に形成される。そして、図１２〜１３に示すようなインデント通路１３は、実際に、図８〜９に示すような円弧面のボスと同様に、乱流効果を実現することができ、図８〜９に示すような空気流路構成１の内径と一致するが、図１２〜１３に示すような空気流路構成１の外径について、インデント通路１３において外径が変化される。
【００４８】
図１４〜１５に示すような実施例において、インデント通路１３は、中央部に位置する円筒体１３１を含む。当該円筒体１３１の一端は、外部拡張のフレア端部１３２に形成されて第２の通常通路１２に接続され、当該円筒体１３１の他端は、外部拡張のフレア端部１３３に形成されて第１の通常通路１１に接続される。ここで、円筒体１３１とフレア端部１３２との接続箇所にあるエッジ１０Ａは円弧面状の面取り部に形成され、上記風上面を構成する。また、円筒体１３１とフレア端部１３３との接続箇所にあるエッジ１０Ｂは円弧面状の面取り部に形成されても良い。そして、図１０〜１１に示すような実施例と同様に、エッジ１０Ａを風上面とし、コアンダ効果でターボファン２からの気流を気流１と気流２に導き、さらに、エッジ１０Ｂにおいて、コアンダ効果で気流２を気流２１と気流２２に導き、羽根３１の各部分に対応する。
【００４９】
その他の実施例において、インデント通路が当該通常通路の片側に位置し、且つ当該インデント通路の端部が空気出口１２に形成される。図１６に示すように、通常通路１４が下端に位置し、インデント通路１５が上端に位置し、インデント通路１５の底部が通常通路１４の頂部に接続されて、インデント通路１５の底部において、通常通路１４に近接する箇所に風上面を含む乱流部１０が形成され、ターボファン２からの気流を乱流する。
【００５０】
なお、上記図４〜１６に示すような実施例において、乱流部１０は、突起又は変形により空気流路構成１の内径を変更し、空気流路構成１における小さい内径のエリアにおいてターボファン２によって生成された気流を乱流し、軸流ファン３の羽根３１に対応する。ここで、図３に示すように、軸流ファン３の羽根３１の直径長さがＴであり、空気流路構成１の内壁の最内側と内壁の最外側との間の間隔距離がｔであり、且つ１／６Ｔ≦ｔ≦１／２であるが、本発明の実施例はこれらに限定されない。
【００５１】
当業者は、明細書を考慮してここに開示される発明を実践した後に、容易に本開示の他の実施形態を考える。本発明は、本開示のいかなる変形、用途または適応性変化をカバーすることを意図し、これらの変形、用途または適応性変化が本開示の一般的な原理に従い且つ本開示に開示されない本技術分野における公知の常識または慣用技術手段を含む。明細書と実施形態は、ただ例示的なものだけと見なされ、本開示の真の範囲および精神が以下の特許請求の範囲によって示される。
【００５２】
本開示は、以上に説明され且つ図面に示す正確な構造に限られなく、且つその範囲から逸脱しなくて各種類の変更と変化を行うことができると理解すべきである。本開示の範囲は、添付の特許請求の範囲のみによって限定される。
【産業上の利用可能性】
【００５３】
本発明の実施例によれば、空気流路構成の内壁に乱流部が形成され、空気流路構成の内壁に沿って螺旋に上昇された気流を乱流することで、少なくとも一部の気流が空気流路構成の内壁から離間される。当該気流が軸流ファンを経由する時に軸流ファンの羽根の中央部にさらに近接し、軸流ファンの軸方向への加速エネルギーを有効に利用し、同じ条件でより大きい風放出能力を実現し、浄化空気の被覆範囲を増大するだけでなく、空気対流を強化して、室内空気の清浄効率を向上することができる。
【図１】
0006588091.tif 000002
【図２】
0006588091.tif 000003
【図３】
0006588091.tif 000004
【図４】
0006588091.tif 000005
【図５】
0006588091.tif 000006
【図６】
0006588091.tif 000007
【図７】
0006588091.tif 000008
【図８】
0006588091.tif 000009
【図９】
0006588091.tif 000010
【図１０】
0006588091.tif 000011
【図１１】
0006588091.tif 000012
【図１２】
0006588091.tif 000013
【図１３】
0006588091.tif 000014
【図１４】
0006588091.tif 000015
【図１５】
0006588091.tif 000016
【図１６】
0006588091.tif 000017